(57)【要約】【課題】  インクジェット等の方法により、普通紙やインクジェット専用紙に記録した場合に特に耐オゾン性の良好な記録液を提供する。【解決手段】少なくとも水性媒体と、分子中に少なくとも１個のイオン解離性のアニオン性基を有する、遊離酸の形が下記一般式（１）で表されるモノアゾ色素とを含有することを特徴とする記録液。2005171156.tif 000010【選択図】  なし 【特許請求の範囲】
【請求項１】
少なくとも水性媒体と、分子中に少なくとも１個のイオン解離性のアニオン性基を有する、遊離酸の形が下記一般式（１）で表されるモノアゾ色素とを含有することを特徴とする記録液。
【化１】
2005171156.tif 000009
（式中、Ｚは、炭素原子及び硫黄原子とともに芳香族複素環を形成するのに必要な原子群を示し、
Ｒは１価の置換基を示し、mは０から４の整数を示し、
Ｘは、置換されていても良い直鎖状、分岐鎖状若しくは環状のアルキレン基又は置換されていても良い直鎖状、分岐鎖状若しくは環状のアルケニレン基を示し、
Ｙは、置換されていても良い直鎖状、分岐鎖状若しくは環状のアルキル基又は置換されていても良い直鎖状、分岐鎖状若しくは環状のアルケニル基示し、
Ｌ１は、酸素原子、硫黄原子又はＮＲ４で表される基（ここで、Ｒ４は、水素原子、置換されていても良いアルキル基、置換されていても良いアルケニル基、置換されていても良いアリール基又は置換されていても良い複素環基を示す。）を示し、
Ｌ２及びＬ３は、各々独立に、単結合、酸素原子、硫黄原子又はＮＲ４で表される基（ここで、Ｒ４は、水素原子、置換されていても良いアルキル基、置換されていても良いアルケニル基、置換されていても良いアリール基又は置換されていても良い複素環基を示す。）を示し、
Ｒ２及びＲ３は、各々独立に、水素原子、置換されていても良いアルキル基、置換されていても良いアルケニル基、置換されていても良いアリール基又は置換されていても良い複素環基を示す。）
【請求項２】
請求項１に記載の記録液を用いることを特徴とするインクジェット記録方法。
【請求項３】
請求項１に記載の記録液が充填されていることを特徴とするインク容器。
【発明の詳細な説明】
【技術分野】
【０００１】
本発明は記録液に関するものである。詳しくはインクジェット記録に適した記録液に関するものである。
【背景技術】
【０００２】
直接染料や酸性染料等の水溶性染料を含む記録液の液滴を微小な吐出オリフィスから飛翔させて記録を行う、いわゆるインクジェット記録方法が実用化されている。この記録液に関しては、電子写真用紙のＰＰＣ（プレインペーパーコピア）用紙、ファンホールド紙（コンピューター等の連続用紙）等の一般事務用に汎用される記録紙に対する定着が速く、しかも印字物の印字品位が良好であること、即ち印字ににじみがなく輪郭がはっきりしていることが要求されると共に、記録液としての保存時の安定性も優れていることが必要であり、従って使用できる溶剤が著しく制限される。
【０００３】
一方、記録液用の染料に関しては、上記のような限られた溶剤に対して充分な溶解性を有すると共に、記録液として長期間保存した場合にも安定であり、また印字された画像の濃度、色相、彩度に優れ、しかも耐水性、耐光性に優れていること等が要求されるが、これ等の多くの要求を同時に満足させることは困難であった。
更に昨今、インクジェット写真画質画像の高精細化によるインクジェット記録の社会への更なる浸透に伴い、インクジェット画像への市場の要求は更に高まっている。とりわけ、インクジェット専用光沢紙や専用葉書等の上に美しい写真ライクな画像をプリントし、得られた画像を掲示して鑑賞するといった用途の拡大に伴い、空気中のオゾンや窒素酸化物、硫黄酸化物等いわゆる酸化活性ガスによる、インクジェット画像劣化挙動の改善、換言すれば画像の耐ガス性をより向上させることがより強く求められるようになってきていたが、現在汎用されているマゼンタ色素を始めとして、かかる要求に必ずしも十分答えられてはいなかった。なお、耐ガス性は、一定濃度のオゾン含有空気にインクジェット画像を曝露し、これに伴う退色度合いを尺度として定量されることが一般的なので、本願においても耐ガス性の評価にオゾン曝露試験を用い、併せて本願においては以後、上述の耐ガス性を耐オゾン性と称することとする。
【０００４】
ここで、アゾ基の片側にイソチアゾール基、他方にフェニル基を有し、かつ、色素骨格中にトリアジニル基を有する化合物をセルロース含有繊維用の反応型モノアゾ染料として用いることが知られているが（特許文献１参照）、該色素は耐光堅牢度と湿潤堅牢度を達成するためにｏ／ｗ(オイルインウォーター)型エマルジョンの形態で布に対して適用されるものであり、本願が目標とする水系インクによるインクジェット記録に用いるのは困難である。
【０００５】
一方、アゾ基の片側にイソチアゾール基、他方にフェニル基を有し、かつ、色素骨格中にトリアジニル基を有する化合物をリガンドとする金属錯体色素がインクジェット記録液用に用いられることも知られているが、これら色素に関する耐オゾン性についての記載は一切されていない。
また、金属錯体型の色素は、彩度に欠ける傾向があり、ライトインクにしか使えない等、使用に制限が出がちである。
【特許文献１】特開昭５９−１７０１４４号公報
【特許文献２】特開２００２−３３８８３６号公報
【発明の開示】
【発明が解決しようとする課題】
【０００６】
本発明は、インクジェット等の方法により普通紙やインクジェット専用紙に記録した場合に、印字品位が良好であると共に記録画像の濃度、彩度、色調や耐光性だけでなく、かつ、耐オゾン性も良好な記録液を提供することを目的とするものである。
【課題を解決するための手段】
【０００７】
本発明者らは、上記課題を解決するために鋭意検討した結果、アゾ基の片側にイソチアゾール基、他方にフェニル基を有し、かつ、色素骨格中にトリアジニル基を有する、特定構造の色素を使用した場合に、上記の目的が達成されることを確認し本発明を達成したものである。すなわち、本発明の要旨は、少なくとも水性媒体と、分子中に少なくとも１個のイオン解離性のアニオン性基を有する、遊離酸の形が下記一般式（１）で表されるモノアゾ色素とを含有することを特徴とする記録液。
【０００８】
【化２】
2005171156.tif 000002
【０００９】
（式中、Ｚは、炭素原子及び硫黄原子とともに芳香族複素環を形成するのに必要な原子群を示し、Ｒは１価の置換基を示し、mは０から４の整数を示し、Ｘは、置換されていても
良い直鎖状、分岐鎖状若しくは環状のアルキレン基又は置換されていても良い直鎖状、分岐鎖状若しくは環状のアルケニレン基を示し、Ｙは、置換されていても良い直鎖状、分岐鎖状若しくは環状のアルキル基又は置換されていても良い直鎖状、分岐鎖状若しくは環状のアルケニル基示し、Ｌ１は、酸素原子、硫黄原子又はＮＲ４で表される基（ここで、Ｒ４は、水素原子、置換されていても良いアルキル基、置換されていても良いアルケニル基、置換されていても良いアリール基又は置換されていても良い複素環基を示す。）を示し、Ｌ２及びＬ３は、各々独立に、単結合、酸素原子、硫黄原子又はＮＲ４で表される基（ここで、Ｒ４は、水素原子、置換されていても良いアルキル基、置換されていても良いアルケニル基、置換されていても良いアリール基又は置換されていても良い複素環基を示す。）を示し、Ｒ２及びＲ３は、各々独立に、水素原子、置換されていても良いアルキル基、置換されていても良いアルケニル基、置換されていても良いアリール基又は置換されていても良い複素環基を示す。）に存する。
【発明の効果】
【００１０】
本発明によれば、インクジェット等の方法により普通紙やインクジェット専用紙に記録した場合に、特に耐オゾン性の良好な記録液が提供される。
【発明を実施するための最良の形態】
【００１１】
以下に、本発明を実施するための代表的な態様を具体的に説明する。
（一般式（１）で表されるモノアゾ色素）
本発明で使用される色素は、分子中に少なくとも１個のイオン解離性のアニオン性基を有し、遊離酸の形が前記一般式（１）で表される水溶性のモノアゾ色素である。
ここで、イオン解離性のアニオン性基とは、スルホ基、カルボキシル基又はホスホノ基が挙げられる。
【００１２】
また、本発明で使用される色素は構造中に、通常、これらの基を合計で１〜５個、好ま
しくは１〜３個、より好ましくは１〜２個、とりわけ２個有するものが好ましい。
また、上記モノアゾ色素は、２５℃における水に対する溶解度が０．１％以上、好ましくは１％以上、より好ましくは５％以上のものであり、さらに好ましくは１０％以上のものであり、通常、３０％以下の範囲のものである。
【００１３】
上記一般式（１）中、Ｚを含む芳香族複素環基は、通常、５〜７員環のものであり、好ましくは５又は６員環のものであり、より好ましくは５員環のものである。この芳香族複素環は、一般式（１）に明記された硫黄原子以外にも複素原子を有していても良く、この場合の好ましい複素原子としては、酸素原子、窒素原子又は硫黄原子が挙げられ、中でも窒素原子が特に好ましい。この芳香族複素環基を構成する複素原子の個数は、１〜４個が好ましく、より好ましくは１〜３個であり、より好ましくは１又は２個であり、特に好ましくは２個である。また、上記芳香族複素環基は、更に他の芳香環と縮合していても良い。
【００１４】
この芳香族複素環の好ましい具体例としては、チオフェン環、ベンゾチオフェン環、チアゾール環、ベンゾチアゾール環、イソチアゾール環、ベンゾイソチアゾール環、１，３，４―チアジアゾール環、１，２，４―チアジアゾール環等の含硫黄芳香族複素環が挙げられ、中でもアゾ基と結合する炭素原子が硫黄原子と炭素原子に結合する形の含硫黄複素環が好ましく、より好ましくはチオフェン環、ベンゾチオフェン環、イソチアゾール環又はベンゾイソチアゾール環であり、特にイソチアゾール環が好ましい。
【００１５】
上記芳香族複素環基は、１個以上の置換基を有していてもよく、その複素環上の置換基としては、色素の性能に悪影響を与えない基であれば特に限定されないが、通常、置換基の分子量として１０〜１０００程度の基であり、具体的には、塩素原子、臭素原子、フッ素原子等のハロゲン原子；水酸基；メルカプト基；ニトロ基；シアノ基；カルボキシル基；スルホ基；ホスホノ基；置換されていても良い、メチル基、エチル基、ｎ−プロピル基、イソプロピル基、ｎ−ブチル基等の直鎖、分岐鎖若しくは環状のアルキル基；置換されていても良い、ビニル基、２−プロペニル基、イソプロペニル基、２−ブテニル基等の直鎖、分岐鎖若しくは環状のアルケニル基；置換されていても良い、フェニル基、ナフチル基等のアリール基；置換されていても良い、メトキシ基、エトキシ基、ｎ−プロポキシ基、イソプロポキシ基、ｎ−ブトキシ基等のアルコキシ基；置換されていても良い、ビニルオキシ基、イソプロペニルオキシ基等のアルケニルオキシ基；置換されていても良い、フェノキシ基、ナフチルオキシ基等のアリールオキシ基；アセチル基、プロピオニル基、ブチリル基、イソブチリル基、バレリル基、ピバロイル基、ベンジルカルボニル基等のアルキルカルボニル類、ベンゾイル基等のアリールカルボニル類、アクリロイル基、メタクロイル基等のアルケニルカルボニル類、ヘテロアリールカルボニル類等のアシル基；アシル基部分が上記アシル基に相当するようなアシルオキシ基；置換されていても良いカルバモイル基；メトキシカルボニル基、エトキシカルボニル基、プロポキシカルボニル基、イソプロポキシカルボニル基、ブトキシカルボニル基等の置換されていてもよいアルコキシカルボニル基、及び、フェノキシカルボニル基、ナフチルオキシカルボニル基、メチルフェノキシカルボニル基、メトキシフェノキシカルボニル基、カルボキシフェノキシカルボニル基、スルホキシフェノキシカルボニル基等の置換されていてもよいアリールオキシカルボニル基からなるカルボン酸エステル基；置換されていても良いアミノ基；置換されていても良い、メチルチオ基、エチルチオ基、プロピルチオ基、ブチルチオ基等のアルキルチオ基；置換されていても良い、ビニルチオ基、２−プロペニルチオ基、イソプロペニルチオ基等のアルケニルチオ基；置換されていても良い、フェニルチオ基、ナフチルチオ基等のアリールチオ基；置換されていても良い、メチルスルフィニル基、エチルスルフィニル基、プロピルスルフィニル基、イソプロピルスルフィニル基等のアルキルスルフィニル基；置換されていても良い、フェニルスルフィニル基、ナフチルスルフィニル基等のアリールスルフィニル基；置換されていても良い、メチルスルホニル基、エチルスルホニル基、
プロピルスルホニル基、ブチルスルホニル基等のアルキルスルホニル基；置換されていても良い、フェニルスルホニル基、ナフチルスルホニル基等のアリールスルホニル基；メトキシスルホニル基、エトキシスルホニル基、イソプロポキシスルホニル基、ブトキシスルホニル基、ベンジルオキシスルホニル基等のアルコキシスルホニル基、及び、フェノキシスルホニル基、メチルフェノキシスルホニル基等のアリールオキシスルホニル基からなるスルホン酸エステル基；及びチオシアナト基からなる群より選ばれる置換基で置換されていても良い。
【００１６】
上記置換されていてもよいアルキル基、置換されていても良いアルケニル基、置換されていてもよいアルコキシ基、置換されていても良いアルケニルオキシ基、アシル基、アシルオキシ基、置換されていてもよいカルバモイル基、カルボン酸エステル基、置換されていても良いアミノ基、置換されていてもよいアルキルチオ基、置換されていても良いアルケニルチオ基、置換されていてもよいアルキルスルフィニル基、置換されていても良いアルキルスルホニル基及び、スルホン酸エステル基としては、好ましくは炭素数が１０以下のものであり、より好ましくは６以下であり、更に好ましくは４以下であり、上記置換されていてもよいアリール基、置換されていてもよいアリールオキシ基、置換されていてもよいアリールチオ基、置換されていてもよいアリールスルフィニル基及び置換されていても良いアリールスルホニル基としては、好ましくは炭素数が１５以下のものであり、より好ましくは１２以下であり、更に好ましくは８以下である。
【００１７】
上記アルキル基、アルケニル基、アリール基、アルコキシ基、アルケニルオキシ基、アリールオキシ基、カルバモイル基、アミノ基、アルキルチオ基、アルケニルチオ基、アリールチオ基、アルキルスルフィニル基、アリールスルフィニル基、アルキルスルホニル基及びアリールスルホニル基の置換基としては、ハロゲン原子；水酸基；シアノ基；カルボキシル基；スルホ基；ホスホノ基；水酸基、カルボキシル基、スルホ基、ホスホノ基等の親水性基で置換されていても良いアルキル基；水酸基、カルボキシル基、スルホ基、ホスホノ基等の親水性基で置換されていても良いアリール基；水酸基、カルボキシル基、スルホ基、ホスホノ基等の親水性基で置換されていても良いアルコキシ基；水酸基、カルボキシル基、スルホ基、ホスホノ基等の親水性基で置換されていても良いアリールオキシ基；アシル基；カルバモイル基；カルボン酸エステル基；スルホン酸エステル基；又はアルキル置換されていても良いアミノ基が挙げられ、このうち、ハロゲン原子；水酸基；カルボキシル基；スルホ基；ホスホノ基；水酸基、カルボキシル基、スルホ基、ホスホノ基等の親水性基で置換されていても良いアルキル基；水酸基、カルボキシル基、スルホ基、ホスホノ基等の親水性基で置換されていても良いアリール基、アルコキシ基又はアシル基が好ましい。
【００１８】
また、上記置換されていてもよいアルキル基のうち好ましくは、メチル基、エチル基、ｎ−プロピル基、イソプロピル基、ｎ−ブチル基、ヒドロキシエチル基、カルボキシメチル基、カルボキシエチル基、トリフルオロメチル基、ベンジル基、フェネチル基等のハロゲン原子、水酸基、カルボキシル基及びアリール基からなる群より選ばれる置換基で置換されていても良いアルキル基である。
【００１９】
上記置換されていても良いアルケニル基のうち好ましくはヒドロキシアルケニル基又は無置換のアルケニル基である。
上記置換されていてもよいアリール基のうち好ましくは、フェニル基、ナフチル基、カルボキシフェニル基、スルホフェニル基等のカルボキシル基及びスルホ基からなる群より選ばれる置換基で置換されていても良いアリール基である。
【００２０】
上記置換されていてもよいアルコキシ基のうち好ましくはヒドロキシアルコキシ基又は無置換のアルコキシ基である。
上記置換されていてもよいアルケニルオキシ基のうち好ましくはヒドロキシアルケニルオキシ基又は無置換のアルケニルオキシ基である。
上記置換されていてもよいアリールオキシ基のアリール基としては、上記アリール基の説明の項で挙げたのと同様のものが挙げられる。
【００２１】
上記置換されていてもよいカルバモイル基のうち好ましくは、カルバモイル基、Ｎ，Ｎ−ジメチルカルバモイル基、ヒドロキシエチルアミノカルボニル基、カルボキシエチルアミノカルボニル基、スルホエチルアミノカルボニル基、フェニルカルバモイル基、カルボキシフェニルカルバモイル基、スルホフェニルカルバモイル基、ホスホノフェニルカルバモイル基等の置換されていても良いアルキル基及びアリール基からなる群より選ばれる置換基で置換されていても良いカルバモイル基であり、より好ましくは水酸基、カルボキシル基、スルホ基及びホスホノ基に代表される親水性基で置換されているアルキル基又は水酸基、カルボキシル基、スルホ基及びホスホノ基に代表される親水性基で置換されているフェニル基で置換されていても良いカルバモイル基であり、特に好ましくはカルボキシフェニルカルバモイル基又はスルホフェニルカルバモイル基である。
【００２２】
上記カルボン酸エステル基のうち好ましくは、メトキシカルボニル基、エトキシカルボニル基、プロポキシカルボニル基、イソプロポキシカルボニル基、ブトキシカルボニル基、ヒドロキシエチルカルボニル基等のアルコキシカルボニル基、又は、フェノキシカルボニル基、ナフチルオキシカルボニル基、メチルフェノキシカルボニル基、メトキシフェノキシカルボニル基、カルボキシフェノキシカルボニル基、スルホキシフェノキシカルボニル基、ホスホノフェノキシカルボニル基等のアルキル基、アルコキシ基、カルボキシル基、スルホン酸基及びホスホノ基からなる群より選ばれる置換基で置換されていても良いアリールオキシカルボニル基であり、特に好ましくはカルボキシル基及びスルホ基からなる群より選ばれる置換基で置換されたフェノキシカルボニル基である。
【００２３】
上記置換されていても良いアミノ基のうち好ましくは、メチルアミノ基、エチルアミノ基、ジメチルアミノ基、ジエチルアミノ基、ヒドロキシエチルアミノ基、アセチルアミノ基、トリクロロアセチルアミノ基、ベンゾイルアミノ基等の、アルキル基又はアシル基で置換されていても良いアミノ基である。
上記置換されていてもよいアルキルチオ基のうち好ましくはヒドロキシアルキルチオ基又は無置換のアルキルチオ基である。
【００２４】
上記置換されていてもよいアルケニルチオ基のうち好ましくはヒドロキシアルケニルチオ基又は無置換のアルケニルチオ基である。
上記置換されていてもよいアリールチオ基として好ましくは、フェニルチオ基、メチルフェニルチオ基、カルボキシフェニルチオ基、スルホフェニルチオ基、ホスホノフェニルチオ基、メトキシフェニルチオ基等のカルボキシル基、スルホ基、ホスホノ基、アルキル基及びアルコキシ基からなる群より選ばれる置換基で置換されていても良いアリールチオ基が好ましく、より好ましくはカルボキシル基及びスルホ基からなる群より選ばれる置換基で置換されたアリールチオ基である。
【００２５】
上記置換されていてもよいアルキルスルフィニル基のうち好ましくはヒドロキシアルキルスルフィニル基又は無置換のアルキルスルフィニル基である。
上記置換されていてもよいアリールスルフィニル基のうち好ましくは、フェニルスルフィニル基、メチルフェニルスルフィニル基、ナフチルスルフィニル基、カルボキシフェニルスルフィニル基、スルホフェニルスルフィニル基、ホスホノフェニルスルフィニル基等のアルキル基、カルボキシ基、スルホ基及びホスホノ基からなる群より選ばれる置換基で置換されていても良いアリールスルフィニル基が挙げられ、より好ましくはカルボキシル基及びスルホ基からなる群より選ばれる置換基で置換されたアリールスルフィニル基であ
る。
【００２６】
上記置換されていても良いアルキルスルホニル基のうち好ましくはヒドロキシアルキルスルホニル基又は無置換のアルキルスルホニル基である。
無置換のものである。
上記置換されていても良いアリールスルホニル基のうち好ましくは、フェニルスルホニル基、メチルフェニルスルホニル基、ナフチルスルホニル基、カルボキシフェニルスルホニル基、スルホフェニルスルホニル基、ホスホノフェニルスルホニル基等のアルキル基、カルボキシ基、スルホ基及びホスホノ基からなる群より選ばれる置換基で置換されていても良いアリールスルホニル基が挙げられ、より好ましくはカルボキシル基及びスルホ基からなる群より選ばれる置換基で置換されたアリールスルホニル基である。
【００２７】
上記スルホン酸エステル基のうち好ましくは、メトキシスルホニル基、エトキシスルホニル基、ヒドロキシエトキシスルホニル基、プロポキシスルホニル基、イソプロポキシスルホニル基、ブトキシスルホニル基等のアルコキシスルホニル基、又は、フェノキシスルホニル基、ナフチルオキシスルホニル基、メチルフェノキシスルホニル基、メトキシフェノキシスルホニル基、カルボキシフェノキシスルホニル基、スルホフェノキシスルホニル基等のアルキル基、アルコキシ基、カルボキシル基及びスルホン酸基からなる群より選ばれる置換基で置換されていても良いアリールオキシスルホニル基である。
【００２８】
上記複素環の置換基のうち、好ましくはハロゲン原子、水酸基、ニトロ基、シアノ基、カルボキシル基、スルホ基、置換されていてもよいアルキル基、置換されていてもよいアリール基、置換されていてもよいアルコキシ基、置換されていてもよいアリールオキシ基、アシル基、アシルオキシ基、置換されていてもよいカルバモイル基、カルボン酸エステル基、置換されていても良いアミノ基、置換されていてもよいアルキルチオ基、置換されていてもよいアリールチオ基、置換されていても良いアルキルスルホニル基、置換されていても良いアリールスルホニル基、スルホン酸エステル基又はチオシアナト基であり、より好ましくは水酸基、シアノ基、カルボキシル基、スルホ基、置換されていてもよいアルキル基、置換されていてもよいアリール基、置換されていてもよいアルコキシ基、置換されていてもよいアリールオキシ基、置換されていても良いカルバモイル基、カルボン酸エステル基、置換されていてもよいアルキルチオ基、置換されていてもよいアリールチオ基、置換されていても良いアルキルスルホニル基又はスルホン酸エステル基であり、さらには、シアノ基、カルボキシル基、置換されていても良いカルバモイル基、又は、炭素数１０以下、中でも炭素数６以下、さらには炭素数１〜５のアルキルチオ基若しくはアルキルスルホニル基が挙げられ、より好ましくはシアノ基；カルボキシル基；スルホ基；ハロゲン原子及びカルボキシル基からなる群より選ばれる置換基で置換されていても良いアルキル基；カルバモイル基；水酸基、カルボキシル基、スルホ基及びホスホノ基に代表される親水性基で置換されていても良いアルキルカルバモイル基又はアルキルスルホニル基である。
【００２９】
上記芳香族複素環基の特に好ましい具体例を下記表１に記載する。
【００３０】
【表１】
2005171156.tif 000003
【００３１】
Ｒは、１価の置換基である。該１価の置換基としては、色素の性能に悪影響を与えない基であれば特に限定されないが、通常、置換基の分子量として１０〜５００程度の基であり、好ましくはハロゲン原子、水酸基、シアノ基、カルボキシル基、スルホ基、ホスホノ基、置換されていても良いアルキル基、置換されていても良いアルケニル基、置換されていても良いアルコキシ基又は置換されていても良いアミノ基が挙げられる。ここで、Ｒが複数ある場合（すなわち、ｍが２以上の場合）は、各々のＲは同一でも異なっていても良い。
【００３２】
上記ハロゲン原子のうち、好ましくはフッ素原子又は塩素原子であり、特に塩素原子が好ましい。
また、上記置換されていても良いアルキル基、置換されていても良いアルケニル基及び置換されていても良いアルコキシ基としては、上述の複素環上の置換基として挙げたもの
と同様のものが挙げられるが、このうち、置換されていても良いアルキル基としては、炭素数が１〜８のものが好ましく、中でも炭素数１〜４のものが好ましく、更には炭素数１又は２のものが好ましく、最も好ましくは炭素数１のものである。該アルキル基の置換基としては、色素の彩度、色相、溶解度に悪影響を与えない限り特に制限は無いが、具体的には上記ハロゲン原子の説明の項で説明したものと同様のハロゲン原子；水酸基；シアノ基；カルボキシル基；スルホ基；ホスホノ基；炭素数４以下のアルコキシ基；炭素数４以下のヒドロキシアルコキシ基；炭素数６以下のアルコキシアルコキシ基；炭素数６以下のヒドロキシアルコキシアルコキシ基；水酸基又はイオン解離性のアニオン性基で置換されていても良い炭素数６〜１０のアリールオキシ基；、若しくは、水酸基又はイオン解離性のアニオン性基で置換されていても良い５〜７員複素環オキシ基が挙げられ、好ましくはハロゲン原子；水酸基；シアノ基；カルボキシル基；スルホ基；炭素数１又は２のアルコキシ基；炭素数４以下のヒドロキシアルコキシアルコキシ基；炭素数４以下のアルコキシアルコキシ基；炭素数４以下のヒドロキシアルコキシアルコキシ基；水酸基又はイオン解離性のアニオン性基で置換されたフェノキシ基；、若しくは、水酸基又はイオン解離性のアニオン性基で置換された１〜３個の窒素原子を含む５〜６員複素環オキシ基である。
【００３３】
上記置換されていても良いアルキル基の好ましい具体例としては、メチル基、エチル基、カルボキシメチル基、２―ヒドロキシエチル基、２―カルボキシエチル基、２―スルホエチル基、２―メトキシエチル基、２―（２−ヒドロキシエトキシ）エチル基、２―メトキシエチル基等が挙げられ、中でもメチル基、カルボキシメチル基、２―カルボキシエチル基又は２―スルホエチル基が好ましい。
【００３４】
また、置換されていても良いアルケニル基としては、炭素数が２〜１０のものが好ましく、中でも炭素数３〜７のものが好ましく、更には炭素数３〜５のものが好ましい。該アルケニル基の置換基としては、色素の彩度、色相、溶解度に悪影響を与えない限り特に制限は無く、上記アルキル基の置換基の説明の項に記載したのと同様のものが挙げられ、好ましい置換基としても同様である。
【００３５】
上記置換されていても良いアルケニル基として特に好ましくは無置換のものであり、その好ましい具体例としては、アリル基、２―ブテニル基、３―ブテニル基等が挙げられ、中でもアリル基が好ましい。
また、置換されていても良いアルコキシ基としては、炭素数が１〜１０のものが好ましく、中でも炭素数１〜７のものが好ましく、更には炭素数１〜３のものが好ましい。該アルコキシ基の置換基としては、色素の彩度、色相、溶解度に悪影響を与えない限り特に制限は無く、上記アルキル基の置換基の説明の項に記載したのと同様のものが挙げられ、好ましい置換基としても同様である。
【００３６】
上記置換されていても良いアルコキシ基の好ましい具体例としては、メトキシ基、エトキシ基、カルボキシメトキシ基、２―ヒドロキシエトキシメトキシ基、２―カルボキシエトキシ基、２―スルホエトキシ基等が挙げられる。
また、上記置換されていても良いアミノ基としては、炭素数が１０以下のものが好ましく、中でも炭素数１〜７のものが好ましく、更には炭素数１〜４のものが好ましい。該アミノ基の置換基としては、色素の彩度、色相、溶解度に悪影響を与えない限り特に制限は無いが、具体的には、置換されていても良いアルキル基、置換されていても良いアリール基、置換されていても良い複素環基、アシル基、置換されていても良いアルキルスルホニル基、置換されていても良いアリールスルホニル基又は置換されていても良い複素環スルホニル基が挙げられる。
【００３７】
上記アミノ基の置換基としてのアルキル基、アルキルカルボニル基及びアルキルスルホニル基を更に置換し得る置換基並びにそれらのうち好ましい置換基としては、先に述べた
アルキル基の置換基並びに好ましい置換基の説明の項に記載の置換基が挙げられる。
上記アミノ基の置換基としてのアリール基、アリールカルボニル基及びアリールスルホニル基を更に置換し得る置換基としては、ハロゲン原子、水酸基、カルボキシル基、スルホ基、ホスホノ基、ニトロ基、シアノ基、炭素数４以下のアルキル基、炭素数４以下のアルコキシ基又は炭素数４以下のヒドロキシアルキル基が挙げられ、好ましくはカルボキシル基、スルホ基、シアノ基、メトキシ基又はヒドロキシエチル基である。
【００３８】
上記アミノ基の置換基としての複素環基、複素環カルボニル基、複素環スルホニル基を更に置換し得る置換基、好ましい置換基、より好ましい置換基としては、先に述べたＺを含む芳香族複素環基を置換し得る置換基が挙げられる。
以上で説明されるＲとして好ましくは、カルボキシル基、スルホ基、ホスホノ基、分子量が２５０以下の置換されていても良いアルキル基、分子量が２５０以下の置換されていても良いアルケニル基、分子量が２５０以下の置換されていても良いアルコキシ基又は分子量が２５０以下の置換されていても良いアミノ基が挙げられる。
【００３９】
ｍは０〜４の整数を表し、好ましくは０〜２であり、より好ましくは０又は１であり、特に好ましくは１である。ここで、特にアゾ基に隣接する側の炭素原子にＲが置換している方が好ましい。
Ｘは、置換されていても良い直鎖状、分岐鎖状若しくは環状のアルキレン基又は置換されていても良い直鎖状、分岐鎖状若しくは環状のアルケニレン基を示すが、好ましくは炭素数が８以下の直鎖状又は分鎖状のものであり、より好ましくは炭素数１〜３の直鎖アルキレン基である。ここで上記アルキレン基又はアルケニレン基を置換し得る基の好ましい具体例としては、水酸基又は炭素数２以下のアルコキシ基が挙げられる。上記Ｘとしてこのうち特に好ましくは無置換のアルキレン基である。
【００４０】
Ｙは、置換されていても良い直鎖状、分岐鎖状若しくは環状のアルキル基又は置換されていても良い直鎖状、分岐鎖状若しくは環状のアルケニル基示す。
上記置換されていても良いアルキル基及びアルケニル基としては、炭素数は１〜１５のものが好ましく、中でも２〜１０のものが好ましく、特には２〜４程度のものが好ましい。
【００４１】
該アルキル基及びアルケニル基の置換基としては、色素の彩度、色相、溶解度に悪影響を与えない限り特に制限は無いが、具体的にはハロゲン原子、水酸基、シアノ基、カルボキシル基、スルホ基、ホスホノ基、シアノ基、ニトロ基、水酸基又はイオン解離性のアニオン性基で置換されていても良い炭素数４以下のアルコキシ基、水酸基又はイオン解離性のアニオン性基で置換されていても良い炭素数６以下のアルコキシアルコキシ基、水酸基又はイオン解離性のアニオン性基で置換されていても良い炭素数６〜１０のアリールオキシ基、水酸基又はイオン解離性のアニオン性基で置換されていても良い５〜７員複素環オキシ基、水酸基又はイオン解離性のアニオン性基で置換されていても良い炭素数１〜４のアルコキシカルボニル基、水酸基又はイオン解離性のアニオン性基で置換されていても良い炭素数１〜４のアルキルカルボニルオキシ基、水酸基又はイオン解離性のアニオン性基で置換されていても良い炭素数６〜１２のアリールオキシカルボニル基、水酸基又はイオン解離性のアニオン性基で置換されていても良い炭素数６〜１２のアリールカルボニルオキシ基、水酸基又はイオン解離性のアニオン性基で置換されていても良い炭素数５〜１２の複素環オキシカルボニル基、水酸基又はイオン解離性のアニオン性基で置換されていても良い炭素数５〜１２の複素環カルボニルオキシ基、水酸基又はイオン解離性のアニオン性基で置換されていても良い炭素数１〜４のアルキルアミノカルボニル基、水酸基又はイオン解離性のアニオン性基で置換されていても良い炭素数１〜４のアルキルカルボニルアミノ基、水酸基又はイオン解離性のアニオン性基で置換されていても良い炭素数６〜１２のアリールアミノカルボニル基、水酸基又はイオン解離性のアニオン性基で置換されてい
ても良い炭素数６〜１２のアリールカルボニルアミノ基、水酸基又はイオン解離性のアニオン性基で置換されていても良い炭素数５〜１２の複素環アミノカルボニル基、若しくは、水酸基又はイオン解離性のアニオン性基で置換されていても良い炭素数５〜１２の複素環カルボニルアミノ基が挙げられ、好ましくはハロゲン原子、シアノ基、水酸基、カルボキシル基、スルホ基、ホスホノ基、炭素数２以下のアルコキシ基、炭素数４以下のヒドロキシアルコキシ基、水酸基又はイオン解離性のアニオン性基で置換されていても良い炭素数６〜１０のアリールオキシ基、水酸基又はイオン解離性のアニオン性基で置換されても良い１〜３個の窒素原子を含む５〜６員複素環オキシ基、水酸基又はイオン解離性のアニオン性基で置換されていても良い炭素数１〜２のアルコキシカルボニル基、水酸基又はイオン解離性のアニオン性基で置換されていても良い炭素数１〜２のアルキルカルボニルオキシ基、水酸基又はイオン解離性のアニオン性基で置換されていても良いフェノキシカルボニル基、水酸基又はイオン解離性のアニオン性基で置換されていても良いフェニルカルボニルオキシ基、水酸基又はイオン解離性のアニオン性基で置換されていても良い１〜３個の窒素原子を含む５〜６員複素環オキシカルボニル基、水酸基又はイオン解離性のアニオン性基で置換されていても良い１〜３個の窒素原子を含む５〜６員複素環カルボニルオキシ基、水酸基又はイオン解離性のアニオン性基で置換されていても良い炭素数１〜２のアルキルアミノカルボニル基、水酸基又はイオン解離性のアニオン性基で置換されていても良い炭素数１〜２のアルキルカルボニルアミノ基、水酸基又はイオン解離性のアニオン性基で置換されていても良いフェニルアミノカルボニル基、水酸基又はイオン解離性のアニオン性基で置換されていても良い炭素数フェニルカルボニルアミノ基、水酸基又はイオン解離性のアニオン性基で置換されていても良い１〜３個の窒素原子を含む５〜６員複素環アミノカルボニル基、若しくは、水酸基又はイオン解離性のアニオン性基で置換されていても良い１〜３個の窒素原子を含む５〜６員複素環カルボニルアミノ基である。
【００４２】
このうち、上記Ｙとして好ましくは、酸素原子、カルボニル基、オキシカルボキシル基、カルボニルオキシ基及びカルバモイル基からなる群より選ばれる２価基を連結基として有し、該２価基に水素原子、アルコキシ基、含窒素複素環基及び親水性基を有する炭化水素基からなる群より選ばれる基が結合している基を置換基として有していてもよいアルキル基又は無置換のアルケニル基が挙げられる。
【００４３】
上記Ｙの特に好ましい具体例を下記表２に記載する。
【００４４】
【表２】
2005171156.tif 000004
【００４５】
Ｌ１は、酸素原子、硫黄原子又はＮＲ４で表される基（ここで、Ｒ４は、水素原子、置換されていても良いアルキル基、置換されていても良いアルケニル基、置換されていても良いアリール基又は置換されていても良い複素環基を示す。）を示し、好ましくは酸素原子又はＮＲ４で表される基である。
上記Ｒ４の置換されていてもよいアルキル基及び置換されていても良いアルケニル基としては上述のＹの説明の項で記載したのと同様の基が挙げられ、置換されていても良いアリール基としては、上述の複素環の置換基の説明の項で記載したのと同様の基が挙げられる。また、上記置換されていても良い複素環基の複素環としては、窒素原子を１〜３個、
好ましくは１〜２個、特に好ましくは１個有する含窒素複素環が挙げられ、該複素環の置換基としては、複素環Ｚの置換基として記載したのと同様の基が挙げられるが、このうち好ましくは水素原子、アルキル基又はアルケニル基であり、より好ましくは水素原子又は炭素数１〜２のアルキル基であり、特に好ましくは水素原子である。
【００４６】
Ｌ２及びＬ３は、各々独立に、単結合、酸素原子、硫黄原子又はＮＲ４で表される基であるが、このうち好ましくは酸素原子又はＮＲ４で表される基である。ここで、Ｒ４は、上記Ｌ１の説明の項で記載したのと同様の基が挙げられる。
Ｒ２及びＲ３は、各々独立に、水素原子、置換されていても良いアルキル基、置換されていても良いアルケニル基、置換されていても良いアリール基又は置換されていても良い複素環基を示す。ここで、Ｒ２及びＲ３は同時に水素原子でも良いが、少なくとも片方は水素原子以外の基であることがより好ましい。
【００４７】
上記置換されていても良いアルキル基及び置換されていても良いアルケニル基としては、上述のＹの説明の項で挙げたものと同様のものが挙げられるが、該置換されていても良いアルキル基としてとりわけ好ましくは、水酸基又は解離性のアニオン性基で置換された炭素数３以下のアルキル基、若しくは、水酸基又は解離性のアニオン性基を有する炭素数４以下のアルコキシアルキル基であり、置換されていてもよいアルケニル基としては、アリル基等の炭素数４以下の無置換のアルケニル基、若しくは、水酸基又は解離性のアニオン性基で置換された炭素数４以下のアルケニル基である。
【００４８】
上記置換されていても良いアリール基としては、炭素数１４以下、好ましくは炭素数１０以下のものが挙げられる。該アリール基の置換基としては、色素の彩度、色相、溶解度に悪影響を与えない限り特に制限は無いが、具体的にはハロゲン原子、水酸基、カルボキシル基、スルホ基、ホスホノ基、シアノ基、ニトロ基、水酸基又はイオン解離性のアニオン性基で置換されていても良い炭素数４以下のアルキル基水酸基又はイオン解離性のアニオン性基で置換されていても良い炭素数４以下のアルコキシ基、水酸基又はイオン解離性のアニオン性基で置換されていても良い炭素数６以下のアルコキシアルコキシ基、水酸基又はイオン解離性のアニオン性基で置換されていても良い炭素数６〜１０のアリールオキシ基、水酸基又はイオン解離性のアニオン性基で置換されていても良い５〜７員複素環オキシ基、水酸基又はイオン解離性のアニオン性基で置換されていても良い炭素数１〜４のアルコキシカルボニル基、水酸基又はイオン解離性のアニオン性基で置換されていても良い炭素数１〜４のアルキルカルボニルオキシ基、水酸基又はイオン解離性のアニオン性基で置換されていても良い炭素数６〜１２のアリールオキシカルボニル基、水酸基又はイオン解離性のアニオン性基で置換されていても良い炭素数６〜１２のアリールカルボニルオキシ基、水酸基又はイオン解離性のアニオン性基で置換されていても良い炭素数５〜１２の複素環オキシカルボニル基、水酸基又はイオン解離性のアニオン性基で置換されていても良い炭素数５〜１２の複素環カルボニルオキシ基、水酸基又はイオン解離性のアニオン性基で置換されていても良い炭素数１〜４のアルキルアミノカルボニル基、水酸基又はイオン解離性のアニオン性基で置換されていても良い炭素数１〜４のアルキルカルボニルアミノ基、水酸基又はイオン解離性のアニオン性基で置換されていても良い炭素数６〜１２のアリールアミノカルボニル基、水酸基又はイオン解離性のアニオン性基で置換されていても良い炭素数６〜１２のアリールカルボニルアミノ基、水酸基又はイオン解離性のアニオン性基で置換されていても良い炭素数５〜１２の複素環アミノカルボニル基、若しくは、水酸基又はイオン解離性のアニオン性基で置換されていても良い炭素数５〜１２の複素環カルボニルアミノ基が挙げられ、中でも、ハロゲン原子、シアノ基、ニトロ基、水酸基、イオン解離性のアニオン性基、水酸基又はイオン解離性のアニオン性基で置換されていても良いアルキル基、水酸基又はイオン解離性のアニオン性基で置換されていてもよいアルコキシ基、水酸基又はイオン解離性のアニオン性基で置換されていても良いアルキルオキシカルボニル基、水酸基又はイオン解離性のアニオン性基で置換されていても良いアル
キルカルボニルオキシ基、水酸基又はイオン解離性のアニオン性基で置換されていても良いアリールオキシカルボニル基、水酸基又はイオン解離性のアニオン性基で置換されていても良いアリールカルボニルオキシ基、水酸基又はイオン解離性のアニオン性基で置換されていても良い複素環オキシカルボニル基、水酸基又はイオン解離性のアニオン性基で置換されていても良い複素環カルボニルオキシ基、水酸基又はイオン解離性のアニオン性基で置換されていても良いアルキルアミノカルボニル基、水酸基又はイオン解離性のアニオン性基で置換されていても良いアルキルカルボニルアミノ基、水酸基又はイオン解離性のアニオン性基で置換されていても良いアリールアミノカルボニル基、水酸基又はイオン解離性のアニオン性基で置換されていても良いアリールカルボニルアミノ基、水酸基又はイオン解離性のアニオン性基で置換されていても良い複素環アミノカルボニル基、水酸基又はイオン解離性のアニオン性基で置換されていても良い複素環カルボニルアミノ基が挙げられ、中でも、水酸基、カルボキシル基、スルホ基、カルボキシメチル基、２―スルホエトキシ基、２―スルホエトキシカルボニル基、２―カルボキシエチルカルボニル基、水酸基又はイオン解離性のアニオン性基で置換されていても良いアリールオキシカルボニル基、水酸基又はイオン解離性のアニオン性基で置換されていても良いアリールカルボニルオキシ基、２―スルホエチルアミノカルボニル基又は２，５−ジスルホフェニルアミノカルボニル基が好ましい。
【００４９】
上記置換されていても良い複素環基としては、炭素数１０以下、好ましくは炭素数４〜６のものが挙げられる。また、芳香族複素環基の方が好ましい。該複素環基の置換基としては、上記置換されていても良いアリール基の置換基として例示されている物と同様のものが挙げられる。
上記Ｒ２及びＲ３として好ましくは、水素原子；水酸基又は解離性のアニオン性基で置換された炭素数３以下のアルキル基；水酸基又は解離性のアニオン性基で置換された炭素数４以下のアルコキシアルキル基；炭素数４以下の無置換のアルケニル基；水酸基又は解離性のアニオン性基で置換されたフェニル基若しくはナフチル基；水酸基又は解離性のアニオン性基で置換されたアルキル基若しくはフェニル基を置換基として有するカルバモイル基で置換されたフェニル基；又は、窒素原子を１又は２個有する複素環基が挙げられる。
【００５０】
上記一般式（１）で表される化合物の置換基Ｌ２Ｒ２及びＬ３Ｒ３の特に好ましい具体例を遊離酸の形で下記表３に記載する。
【００５１】
【表３】
2005171156.tif 000005
【００５２】
本発明の記録液に用いられる一般式（１）で表される化合物として好ましくは、上記置換基の説明における好ましい置換基同士を組み合わせたものが挙げられるが、その中でもトリアジン環に結合する置換基であるＬ２Ｒ２及び／又はＬ３Ｒ３が全体として、上述のイオン解離性のアニオン性基を少なくとも１個、より好ましくは２〜３個有しているものが好ましい。
【００５３】
以下表４に、本願で用いられる色素の好ましい例を遊離酸の形で例示するが、本願はこれら例示によって限定されない。
【００５４】
【表４】
2005171156.tif 000006
【００５５】
本発明で使用される色素は一般式（１）で示されるように遊離酸型のまま使用してもよいが、製造時に塩型で得られた場合はそのまま使用してもよく、また所望の塩型に変換してもよい。塩型の交換方法としては、公知の方法を任意に用いることができる。例えば、以下の方法が挙げられる。
１）塩型で得られた色素の水溶液に塩酸等の強酸を添加し、色素を遊離酸の形で酸析せしめたのち、所望の対イオンを有するアルカリ溶液（例えば水酸化リチウム水溶液）で色素酸性基を中和し塩交換する方法。
【００５６】
２）塩型で得られた色素の水溶液に、所望の対イオンを有する大過剰の中性塩（例えば、塩化リチウム）を添加し、塩析ケーキの形で塩交換を行う方法。
３）塩型で得られた色素の水溶液を、強酸性陽イオン交換樹脂で処理し、色素を遊離酸の形で酸析せしめたのち、所望の対イオンを有するアルカリ溶液（例えば水酸化リチウム水溶液）で色素酸性基を中和し塩交換する方法。
【００５７】
４）予め所望の対イオンを有するアルカリ溶液（例えば水酸化リチウム水溶液）で処理した強酸性陽イオン交換樹脂に、塩型で得られた色素の水溶液を作用させ、塩交換を行う方法。
また、本発明の記録液で使用される色素は、酸基の一部が塩型のものであってもよく、塩型の色素と遊離酸型の色素が混在していてもよい。ここで、酸性基が遊離酸型をとるか、塩型をとるかは、色素のｐＫａとインクのｐＨに依存する。通常、スルホ基が塩型を取り、カルボキシル基もより多く塩型になっている方が、インクの目詰まりしにくさの点では好ましい。他方、カルボキシル基が酸型をとっている色素は、耐水性や耐滲み性を重視する場合に好ましく使用される。上記の塩型の例としてＮａ、Ｌｉ、Ｋ等のアルカリ金属の塩、アルキル基もしくはヒドロキシアルキル基で置換されていてもよいアンモニウムの塩、又は有機アミンの塩が挙げられる。有機アミンの例として、低級アルキルアミン、ヒドロキシ置換低級アルキルアミン、カルボキシ置換低級アルキルアミン及び炭素数２〜４のアルキレンイミン単位を２〜１０個有するポリアミン等が挙げられる。これらの塩型の場合、その種類は１種類に限られず複数種混在していてもよい。
【００５８】
酸基の対イオンの種類は、そのインクにおける重視すべき特性に応じ、自由に選択される。一般に、色素の合成の中間体や試薬にはＮａを含むものが多いので、通常水溶性色素はＮａ塩の形で得られるが、耐水性を重視する場合はＮＨ4塩に変換されることが多く、
また色素の溶解性を高めインクの目詰まり性をより高いレベルに維持する必要があるときなどは、Ｌｉ塩や、トリエタノールアミンに代表されるアルカノールアミン塩の形に変換されることもある。
【００５９】
更に、本発明で使用する色素の構造において、その１分子中に酸基が複数個含まれる場合は、その複数の酸基は互いに異なる塩型をとってもよい。
上記一般式（１）で示されるアゾ色素は、公知の方法に準じて又はそれらの組み合わせによって、通常のジアゾ化、カップリング反応等を組み合わせて、任意に製造することができる。
【００６０】
例えば第１の合成法として、前述の特開昭５９−１７０１４４号公報に記載されているようなトリアジン環にハロゲン原子が結合した化合物を該公報に記載されている方法に準じて合成し、これを合成中間体として用い、化合物のトリアジン環に連結するハロゲン原子をＨ−Ｌ２Ｒ２又はＨ−Ｌ３Ｒ３として表される化合物で置換する方法が挙げられる。
また、第２の合成法として、前述の特開昭５９−１７０１４４号公報に記載されている一般式［Ｖ］で表される化合物のような化合物を該公報に記載されている方法に準じて合成し、これを合成中間体として用い、化合物のトリアジン環に連結するハロゲン原子をＨ−Ｌ２Ｒ２又はＨ−Ｌ３Ｒ３として表される化合物で置換させてから、本願一般式（１）におけるＺを含有する複素環基を提供する複素環ジアゾニウム塩とカップリングさせる方法が挙げられる。
【００６１】
（記録液）
本発明の記録液は、少なくとも水性媒体と上記色素とを含有するものである。記録液中における前記一般式（１）の色素の含有量としては、記録液全量に対して０．５〜５重量％、特に２〜４重量％程度が好ましい。
上記水性媒体としては、水も使用できるが、水溶性有機溶剤を含有する水が好ましく用いられる。水溶性有機溶剤としては、例えば、エチレングリコール、プロピレングリコール、ブチレングリコール、ジエチレングリコール、トリエチレングリコール、ポリエチレングリコール（重量平均分子量約１９０〜４００）、グリセリン等の多価アルコール類；２−ピロリドン、Ｎ−メチルピロリドン、Ｎ−エチルピロリドン、１，３−ジメチルイミダゾリジノン等の複素環類；チオジエタノール；ジメチルスルホキシド等のスルホキシド類；エチレングリコールモノアリルエーテル、エチレングリコールモノメチルエーテル、ジエチレングリコールモノメチルエーテル等のエーテル類；スルホラン等のスルホン類；エチルアルコール、イソプロパノール等のアルコール類が挙げられる。これらの水溶性有機溶剤は、通常記録液の全量に対して１〜５０重量％の範囲で使用される。一方、水は記録液の全量に対して４５〜９５重量％の範囲で使用される。
【００６２】
さらに本発明の記録液には、上記以外に添加剤を含有していてもよい。
例えば、本発明の記録液に、その全量に対して０．１〜１０重量％、好ましくは０．５〜５重量％程度の、尿素、チオ尿素、ビウレット及びセミカルバジドから選ばれる化合物を添加したり、０．００１〜５重量％程度の界面活性剤を添加することによって、印字後の速乾性及び印字品位をより一層改良することができる。
【００６３】
本発明の記録液のｐＨ値は、通常２以上であり、好ましくは４以上、更に好ましくは６．５以上であり、７以上が最も好ましい。また、ｐＨ値の上限は通常１２以下、好ましくは１１以下、更に好ましくは１０以下である。特に、７．５〜９．５の範囲に設定するのが好ましい。
記録液のｐＨがこの範囲を超えて低すぎる、即ち２未満の場合は、色素の溶解安定性が低下し、色素が保存中に析出したり、変色を生じやすい。記録液のｐＨが１２を超える場合は、インク性能の劣化を誘発する可能性がある。また、本発明の記録液は人体に触れる可能性が高いため、安全性の面からも高ｐＨを避けて調製するのが望ましい。
【００６４】
記録液のｐＨは、ｐＨ調整剤を用いて調整することができ、この場合、ｐＨ調整剤としては、調合される記録液に悪影響を及ぼすことなくｐＨを所定範囲に制御できるものであれば、任意の物質を使用することができる。具体的には、水酸化ナトリウム、水酸化カリウム、水酸化リチウム、水酸化アンモニウム等の水酸化物；炭酸ナトリウム、炭酸水素ナトリウム、炭酸カリウム、炭酸リチウム、リン酸ナトリウム、リン酸カリウム、リン酸リチウム、リン酸二水素カリウム、リン酸水素二ナトリウム等のアルカリ金属無機酸塩；酢酸ナトリウム、酢酸カリウム、酢酸リチウム、シュウ酸ナトリウム、シュウ酸カリウム、シュウ酸リチウム、ホウ酸ナトリウム、四ホウ酸ナトリウム、フタル酸水素カリウム、酒石酸水素カリウム等のアルカリ金属有機酸塩；アンモニア；メチルアミン、エチルアミン、ジエチルアミン、トリス（ヒドロキシメチル）アミノメタン塩酸塩、ジエタノールアミン、トリエタノールアミン、モルホリン、プロパノールアミン等のアミン類；４−モルホリンエタンスルホン酸、４−モルホリンプロパンスルホン酸等が好ましく用いられる。
【００６５】
これらの中でも緩衝作用を示す緩衝剤がより好ましい。緩衝剤としては、弱酸とその塩、あるいは弱塩基とその塩の組合せ（混合）が挙げられ、具体的には酢酸ナトリウム、酢酸リチウム、リン酸ナトリウム、リン酸リチウム、リン酸二水素カリウム、リン酸水素二ナトリウム、ホウ酸ナトリウム、四ホウ酸ナトリウム、トリス（ヒドロキシメチル）アミノメタン塩酸塩、４−モルホリンエタンスルホン酸、４−モルホリンプロパンスルホン酸
等が挙げられ、好ましくは、トリス（ヒドロキシメチル）アミノメタン塩酸塩、４−モルホリンエタンスルホン酸、４−モルホリンプロパンスルホン酸である。
【００６６】
緩衝剤は、記録液の全重量に対し、通常０．０１〜３重量％、好ましくは０．１〜１重量％、更に好ましくは０．１〜０．５重量％の濃度で使用される。
また、緩衝液を用いて記録液のｐＨ調整を行っても良く、この場合、緩衝液としては、一般には水素イオンの混入によるｐＨの低下を防止する目的で種々用いられているもの、例えば、以下のような組合せ等で各々を適当量混合した系が挙げられ、これらの中から適宜選択して使用することができる。
【００６７】
フタル酸水素カリウムと水酸化ナトリウムの組合せ、
リン酸二水素カリウムと水酸化ナトリウムの組合せ、
ホウ酸及び塩化カリウムと水酸化ナトリウムの組合せ、
グリシン及び塩化ナトリウムと塩酸の組合せ、
グリシン及び塩化ナトリウムと水酸化ナトリウムの組合せ、
クエン酸ナトリウムと塩酸の組合せ、
クエン酸ナトリウムと水酸化ナトリウムの組合せ、
四ホウ酸ナトリウム（ホウ砂）と塩酸の組合せ、
四ホウ酸ナトリウム（ホウ砂）と水酸化ナトリウムの組合せ、
リン酸二水素カリウムとリン酸水素二ナトリウムの組合せ、
クエン酸二水素カリウムと水酸化ナトリウムの組合せ、
コハク酸と四ホウ酸ナトリウムの組合せ、
クエン酸二水素カリウムと四ホウ酸ナトリウムの組合せ、
リン酸二水素カリウムと四ホウ酸ナトリウムの組合せ、
四ホウ酸ナトリウムと炭酸ナトリウムの組合せ、
塩酸と炭酸ナトリウムの組合せ、
酒石酸と酒石酸ナトリウムの組合せ、
乳酸と乳酸ナトリウムの組合せ、
酢酸と酢酸ナトリウムの組合せ、
塩化アンモニウムとアンモニアの組合せ、
ジエチルバルビツル酸ナトリウム及び酢酸ナトリウムと塩酸の組合せ、
ジエチルバルビツル酸ナトリウムと塩酸の組合せ、
Ｎ，Ｎ−ジエチルグリシンナトリウム塩と塩酸の組合せ、
リン酸水素二ナトリウムとクエン酸の組合せ、
クエン酸、リン酸二水素カリウム、ホウ酸及びジエチルバルビツル酸とリン酸三ナトリウムの組合せ、
ホウ酸及びクエン酸とリン酸三ナトリウムの組合せ、
２，４，６−トリメチルピリジンと塩酸の組合せ、
トリス（ヒドロキシメチル）アミノメタンと塩酸の組合せ、
２−アミノ−２−メチル−１，３−プロパンジオールと塩酸の組合せ、
３−［４−（２−ヒドロキシエチル）−１−ピペラジニル］−１−プロパンスルホン酸、水酸化ナトリウム及び塩化ナトリウムの組合せ、
クエン酸、リン酸二水素カリウム、四ホウ酸ナトリウム、トリス（ヒドロキシメチル）アミノメタン及び塩化カリウムと水酸化ナトリウムの組合せ。
【００６８】
これらのうち、好ましいのは、
リン酸二水素カリウムと水酸化ナトリウムの組合せ、
ホウ酸及び塩化カリウムと水酸化ナトリウムの組合せ、
四ホウ酸ナトリウム（ホウ砂）と塩酸の組合せ、
四ホウ酸ナトリウム（ホウ砂）と水酸化ナトリウムの組合せ、    リン酸二水素カリウムとリン酸水素二ナトリウムの組合せ、
リン酸二水素カリウムと四ホウ酸ナトリウムの組合せ、
塩化アンモニウムとアンモニアの組合せ、
トリス（ヒドロキシメチル）アミノメタンと塩酸の組合せであり、なかでも、特に、四ホウ酸ナトリウム（ホウ砂）と水酸化ナトリウムの組合せ、又はトリス（ヒドロキシメチ
ル）アミノメタンと塩酸の組合せが好ましい。
【００６９】
緩衝液は、記録液の全重量に対し、通常０．１〜４０重量％、好ましくは０．５〜３０重量％、更に好ましくは１〜２５重量％の濃度で使用される。
また、本発明の記録液は、上記一般式（１）のアゾ色素と錯体を形成する可能性のある金属イオン、例えば、２価のアルカリ土類金属イオン又は遷移金属イオンの含有量がトータルとして１００ｐｐｍ以下、好ましくは５０ｐｐｍ以下、より好ましくは３０ｐｐｍのものである。
【００７０】
また、本発明の記録液は、彩度（Ｃ＊値）が７０以上、好ましくは７５以上、より好ましくは８０以上である。
さらに、耐オゾン性は、温度４０℃、相対湿度５５％、オゾン濃度３ｐｐｍのオゾン含有空気に４時間曝露した際の変退色の度合い（△Ｅ）で表され、数値が小さければ小さい方が好ましいが、より好ましくは△Ｅが０〜２０であり、特に好ましくは０〜１５である。
【実施例】
【００７１】
以下本発明を実施例により更に詳細に説明するが、本発明はその要旨を越えない限りこれ等の実施例に限定されるものではない。
＜実施例１＞
オルフィンＥ１０１０（界面活性剤、日信化学工業より入手可能）２重量部、トリエチレングリコールモノブチルエーテル１１重量部、ジエチレングリコール１３重量部、グリセリン１２重量部、トリエタノールアミン０．８重量部、尿素１１重量部、上記「第２の方法」にて合成した下記構造式で表される色素３重量部に水を加え、１Ｎ水酸化リチウム水溶液でｐＨを９に調整して全量を１００重量部とした。なお、この色素のアセトン中での可視部最大吸収波長は、５５９ｎｍであった。この組成物を充分に混合して溶解し、孔径０．４５μｍのメンブレンフィルターで加圧濾過した後、超音波洗浄機で脱気処理して記録液を調整した。
【００７２】
得られた記録液を使用し、インクジェットプリンター（商品名ＢＪ  Ｆ８７０、キヤノン社製）を用いてインクジェット専用光沢紙（商品名ＰＭ写真用紙、セイコーエプソン社製）にインクジェット記録を行った。得られた印字物は、耐水性、耐光性が良好な高彩度なマゼンタ色画像であった。
＜耐オゾン性の評価＞
得られた印字物を、４０℃、相対湿度５５％、オゾン濃度３ｐｐｍの含オゾン空気に４時間曝露した。曝露前後の画像の変退色度合いを、測色装置（商品名スペクトロアイ、グレタグマクベス社製）にて△Ｅ値の形で定量した。ここで、△Ｅ値は変退色の度合いを表す数値であり、数値が大きければ大きいほど、変退色度合いが大きい、すなわちこ今回の評価においては耐オゾン性が低いことを意味する。結果を表５に示す。
【００７３】
【化３】
2005171156.tif 000007
【００７４】
【表５】
2005171156.tif 000008